(57)【要約】【課題】効果的に電池のガタを防止することで、部品点数・組み立て工数を抑えた撮像装置を提供すること。【解決手段】弾性部材で形成されているビューファインダーのアイカップと、電池のガタツキを防止するために電池収納部に貼り付けられている弾性部材を一体にて構成することで、部品点数や組み立て工数を増やすことなく、ガタツキによる異音の発生を防ぐことができる。また電池のガタツキを防止する弾性部材をアイカップと一体にて成形したので、弾性部材が剥がれるといった問題を防ぐことができる。【選択図】図１
2012089982.tif 000002
【特許請求の範囲】
【請求項１】
弾性部材で形成されたビューファインダーのアイカップと撮像装置を駆動するための電
池と前記電池を押圧するための弾性部材を有する撮像機器において、前記アイカップと前
記弾性部材を一体にて成形したことを特徴とする撮像装置。
【請求項２】
前記アイカップは少なくとも１箇所で前記電池を押圧していることを特徴とする請求項
１に記載の撮像装置。
【発明の詳細な説明】
【技術分野】
【０００１】
本発明はビューファインダーのアイカップを有する撮像装置に関するものである。
【背景技術】
【０００２】
近年、デジタルビデオやデジタルカメラなどの撮像装置においては多機能化が進んでい
る。そして機能が拡張する一方で、部品点数・組み立て工数を増やさない撮像装置の設計
が必要とされてきている。
【０００３】
図４は撮像装置の内部構成を示すブロック図である。図４に示すように、撮像装置１０
０は、レンズ２１、撮像素子２２、カメラ信号処理部２３、モニタ２４、レコーダ２５、
電源回路２６、画像変換回路２７、制御マイコン２８、操作キー２９、ビューファインダ
ー３０、電池３１を備える。撮像装置の原理としては、レンズ２１を通ってきた光が撮像
素子２２によって電気信号に変えられ、カメラ信号処理部２３によってデジタル処理され
る。そして像をレコーダ２５に記録し、モニタ２４、ビューファインダー３０に表示する
構成となっている。また、撮影者はモニタ２４、ビューファインダー３０に表示される像
を確認しつつ操作キー２９を操作する。この操作キー２９の操作内容を示すデータは、制
御マイコン２８により具体的な処理内容を示すコマンドにブレークダウンされた後、各部
に供給される。
【０００４】
図５は従来の撮像装置の外観を説明する図である。図４に示す通り、撮像装置１００は
電池収納部１１やビューファインダー１２を有し、電池収納部１１には弾性部材１３が貼
り付けられている。また電池１０は１９ａ、１９ｂと対向する位置の合計４箇所に爪を有
し、また、撮像装置本体側の対応する箇所にも爪が配設されている。そして電池１０は矢
印方向にスライドされ、４箇所の爪により撮像装置１００に収容される構造となっている
。
【０００５】
ここで撮像装置１００の電池収納部１１において、電池１０の取り外しのしやすさや、
部品そのものが持つ公差上の点から、電池１０と電池を収納する外装カバーの間にはある
程度の隙間が存在する。そのため、撮像装置１００を持ち運ぶ時や電池１０を装着時の撮
影の際に電池１０と外装カバーの間にスライド方向のガタツキによる異音が発生し、撮影
時にはこれが録音されてしまうといった問題があった。よって従来は緩衝材等の弾性部材
１３を外装カバー側面に貼り付け、電池のガタ取りを行うなどの手段が講じられてきた。
【先行技術文献】
【特許文献】
【０００６】
【特許文献１】特開２００７−５９０７６号公報
【発明の概要】
【発明が解決しようとする課題】
【０００７】
（課題ｉ）
しかしながら、弾性部材１３を電池収納部１１に貼り付けることによって、部品点数や
組み立て工数が増加するためにコストアップするといった問題があった。
【０００８】
（課題ｉｉ）
さらに、外部から両面テープなどで弾性部材１３を貼り付ける構造では弾性部材１３が
剥がれ易いといった問題があった。
【０００９】
本発明の目的は、効果的に電池のガタを防止する撮像装置を提供することにある。
【課題を解決するための手段】
【００１０】
本発明の撮像装置は、弾性部材で形成されたビューファインダーのアイカップと撮像装
置を駆動するための電池と前記電池を押圧するための弾性部材を有する撮像機器において
、前記アイカップと前記弾性部材を一体にて成形したことを特徴としている。
【００１１】
また、本発明の他の特徴とするところは、前記アイカップは少なくとも１箇所で前記電
池を押圧していることを特徴としている。
【発明の効果】
【００１２】
以上説明したように、弾性部材で形成されているビューファインダーのアイカップと、
電池のガタツキを防止するために電池収納部に貼り付けられている弾性部材を一体にて構
成することで、部品点数や組み立て工数を増やすことなく、ガタツキによる異音の発生を
防ぐことができるという点で効果的な撮像装置の提供が可能である。また電池のガタツキ
を防止する弾性部材をアイカップと一体にて成形したので、弾性部材が剥がれるといった
問題を防ぐことができる。
【図面の簡単な説明】
【００１３】
【図１】本発明の実施例に係る撮像装置の外観を説明する図である。
【図２】本発明の実施例に係る撮像装置の外観を説明する図である。
【図３】本発明の実施例に係る撮像装置の弾性突起部における断面図である。
【図４】従来の撮像装置の内部構成を示すブロック図である。
【図５】従来の撮像装置の外観を説明する図である。
【発明を実施するための形態】
【００１４】
以下、本発明の実施の形態について、図面を参照しながら説明する。
【００１５】
（図１の説明）
図１は本発明の実施例に係る撮像装置の外観を説明する図である。
【００１６】
図１において、２００はデジタルビデオカメラ本体、１１０は電池、１１１は電池収納
部、１１２はアイカップ、１１４は電池１１０を保持するための電池ロック部材、１２９
は動画撮影のスタート／ストップを行うための操作キーである。位置関係は図１に示す通
り、撮像装置２００の背面に電池１１０が配設され、電池１１０の上部にアイカップ１１
２、下部に電池ロック部材１１４が配設されている。ここで、撮影者はアイカップ１１２
へ目を押しつけて使用するため、アイカップ１１２は弾性部材で形成されている。
【００１７】
（図２の説明）
図２は本発明の実施例に係るアイカップの外観を説明する図である。
【００１８】
１１２は弾性部材で形成されたアイカップ、１１３ａ、１１３ｂは弾性突起部である。
図２に示す通り、弾性突起部１１３ａ、１１３ｂは円柱形の突起部の先端が半球状の形を
しており、この半球状部を変形させることで電池１１０を押す力を発生させる。
【００１９】
また図２に示すように、弾性突起部１１３ａ、１１３ｂはアイカップ１１２と一体で成
形されている。そして弾性突起部１１３ａ、１１３ｂはアイカップ１１２の中心に対し対
称に配設されている。
【００２０】
（図３の説明）
図３は本発明の実施例に係る撮像装置２００の弾性突起部１１３ｂにおける断面図であ
る。
【００２１】
図３において、１１０は電池、１１１は電池収納部、１１２は弾性部材で形成されたア
イカップ、１１３ｂは弾性突起部、１１４は電池１１０を保持するための電池ロック部材
である。
【００２２】
図３に示すように、電池１１０の上面に弾性突起部１１３ｂを配設し下面に電池ロック
部材１１４が配設されており、電池１１０をスライドして電池収納部１１１へ収納する際
、スライド方向へ弾性突起部１１３ｂは変形する構造となっている。そして弾性突起部１
１３ｂが電池１１０を下方向へ押圧して電池ロック部材１１４で電池１１０を保持しガタ
ツキを防ぐ構造となっている。ここで図２に示した通り、弾性突起部１１３ａ、１１３ｂ
はアイカップ１１２の中心に対し対称に配設されているため電池１１０の上面を下方向へ
左右バランス良く押圧するため効率よく電池１１０のガタツキを防ぐ構造となっている。
【００２３】
また、弾性突起部１１３ｂはアイカップ１１２と一体で成形されているので、部品点数
や組み立て工数を増やすことなく、ガタツキによる異音の発生を防ぐことができる。また
従来のように貼りつけた弾性部材が剥がれるといった問題を防ぐことができる。
【００２４】
また、本実施例では弾性突起部は２箇所で説明したが、電池収容構造によって、ガタ取
りが可能な構造であれば、１箇所や３箇所以上でも良い。
【符号の説明】
【００２５】
１００‥‥撮像装置
１０‥‥電池
１１‥‥電池収納部
１２‥‥ビューファインダー
１３・・・・弾性部材
１９ａ、１９ｂ・・・・爪
２１・・・・レンズ
２２・・・・撮像素子
２３・・・・カメラ信号処理部
２４・・・・モニタ
２５・・・・レコーダ
２６・・・・電源
２７・・・・画像変換回路
２８・・・・制御マイコン
２９・・・・操作キー
３０・・・・ビューファインダー
３１・・・・電池
２００‥‥撮像装置
１１０・・・・電池
１１１‥‥電池収納部
１１２・・・・アイカップ
１１３ａ、１１３ｂ・・・・弾性突起部
１１４・・・・電池ロック部材
１２９・・・・操作キー
【図１】
2012089982.tif 000003
【図２】
2012089982.tif 000004
【図３】
2012089982.tif 000005
【図４】
2012089982.tif 000006
【図５】
2012089982.tif 000007